(57)【要約】【課題】  操作部材の操作量に応じて中立位置に戻る力が変化する構成を少ないスペースで実現する。【解決手段】  操作部材が第１の中間位置よりも第１の方向に操作されるときおよび操作部材が第２の中間位置よりも第２の方向に操作されるときに、第１の付勢部材の変位方向と第２の付勢部材の変位方向とが同一方向となるように第１の付勢部材および第２の付勢部材を保持部材にそれぞれ配置するとともに、操作部材を第１の方向に操作したときの第１の付勢部材の変位軌跡の一部が、操作部材を第２の方向に操作したときの第２の付勢部材の変位軌跡の一部と重なるように、第１の付勢部材および第２の付勢部材を保持部材にそれぞれ配置する。【選択図】  図１
2010177118.tif 000002
【特許請求の範囲】
【請求項１】
中立位置から第１の方向に第１の端位置まで操作可能であるとともに、前記中立位置から前記第１の方向とは反対の第２の方向に第２の端位置まで操作可能な操作部材と、
前記操作部材が前記中立位置から前記第１の方向に前記第１の端位置まで操作されるときまたは前記操作部材が前記中立位置から前記第２の方向に前記第２の端位置まで操作されるときに、前記操作部材に対して前記中立位置方向に付勢する第１の付勢部材と、
前記操作部材が前記中立位置と前記第１の端位置との間に設定される第１の中間位置から前記第１の方向に前記第１の端位置まで操作されるときまたは前記操作部材が前記中立位置と前記第２の端位置との間に設定される第２の中間位置から前記第２の方向に前記第２の端位置まで操作されるときに、前記操作部材に対して前記中立位置方向に付勢する第２の付勢部材と、
前記操作部材、前記第１の付勢部材および前記第２の付勢部材を保持する保持部材とを有し、
前記操作部材が前記第１の中間位置よりも前記第１の方向に操作されるときおよび前記操作部材が前記第２の中間位置よりも前記第２の方向に操作されるときに、前記第１の付勢部材の変位方向と前記第２の付勢部材の変位方向とが同一方向となるように前記第１の付勢部材および前記第２の付勢部材を前記保持部材にそれぞれ配置するとともに、
前記操作部材を前記第１の方向に操作したときの前記第１の付勢部材の変位軌跡の一部が、前記操作部材を前記第２の方向に操作したときの前記第２の付勢部材の変位軌跡の一部と重なるように、前記第１の付勢部材および前記第２の付勢部材を前記保持部材にそれぞれ配置することを特徴とする電子機器。
【請求項２】
前記第１の付勢部材および前記第２の付勢部材はそれぞれ腕部を有するねじりコイルばねであって、前記操作部材が前記第１の方向または前記第２の方向に操作されることで前記腕部が変位することを特徴とする請求項１に記載の電子機器。
【請求項３】
前記操作部材は前記第１の付勢部材の前記腕部に当接する第１の当接部と、前記第２の付勢部材の前記腕部に当接する第２の当接部とが形成され、前記操作部材が前記中立位置と前記第１の中間位置との間または前記中立位置と前記第２の中間位置との間で操作されているとき、前記第２の当接部は前記第２の付勢部材の前記腕部に当接しないように、前記第２の付勢部材を前記保持部材に配置することを特徴とする請求項２に記載の電子機器。
【発明の詳細な説明】
【技術分野】
【０００１】
本発明は電子機器に関し、特に操作量によって必要な操作力の変化する操作部材を備えた電子機器に関するものである。
【背景技術】
【０００２】
近年、デジタルカメラの設計ならびに製造技術に関する技術が発展し、小型化・高性能化が進んできている。高性能化の一つの要素としてズームの高倍率化がある。ズームを高倍率化する事により、様々な画角での撮影をすることが可能になった。ズームの高倍率化に伴い広角端から望遠端までの移動量は増大している。ズーム速度を高速化する事で広角端から望遠端までの移動時間の短縮を図る事が可能であるが、ズーム速度が高速にする事の弊害として、ユーザーが所望の画角でズーム動作を停止することが困難になる。
【０００３】
この問題を解決するために公知のものとして、複数段のズーム速度をもつデジタルカメラがある。複数段のズーム速度を有する事で撮影者は所望の画角を決定する際に、まず大まかな画角の決定を高速ズーム側で行う。その後、画角の微調整を低速ズーム側で行う。こうすることで、ズーム速度が一定の値しか持たないデジタルカメラよりも、より素早く所望の画角にあわせる事が可能となる。
【０００４】
複数段のズーム速度を持つデジタルカメラは、ズームレバーを回動させるのに必要な力量がほぼ線形の変化を行い、ズーム速度を変化させるタイプのものがある。また、複数段のズーム速度を持つデジタルカメラは、ズームレバーを回動させるのに必要な力量がズームレバーの回動途中で少なくと一点にて非線形で変化し、ズーム速度を変化させるタイプのものもある。前者は構造が公知であるズーム速度一定のデジタルカメラと同じ構成を取る事が可能なため、簡単な構造とする事が可能であるが、撮影者はズーム速度の切り替えポイントを掴む事が難しく、ズーム中に意図せずにズーム速度が変更してしまう事がある。後者はズーム速度が変化するポイントに合わせてズームレバーを回動させるために必要な力量を変化させる付勢部材を設ける。構造は前者よりも複雑になるが、撮影者はズーム速度の切り替えポイントをズームレバー回動時の力量から掴むことが可能となり、細かなズーム速度の調整が可能となる。
【０００５】
力量の変化を伴う複数段のズーム速度を持つデジタルカメラの機構として、特許文献１が提案されている。この文献では、撮影を行う際に押下するレリーズボタンをズームレバーの回転中心に配置し、その裏面に無負荷時には中央部に復帰するような付勢部材を備えたレバー式の電気スイッチが配置されている。同じく、レリーズボタンの裏面にズームレバーが一定角度回動された後のズーム速度が変化するポイントに合わせるように、第２のねじりコイルばねが配置されているため、一定角度回動後は二つの付勢部材に抗する力で回動させる必要がある。
【特許文献１】特開２００６−３０４００２号公報
【発明の開示】
【発明が解決しようとする課題】
【０００６】
しかしながら、前記特許文献に開示された従来技術では、スイッチ内部に配置されたねじりコイルばねによりズームレバーを中立位置へ復帰するように連続的な負荷を与えている。さらに、ズームレバーが所定の移動量を越えたときは、スイッチの外側に設けた板バネにより中立位置への負荷を非連続的に増加させている。そのため、ズームレバーの内側に大きなスペースを確保しなければならず、機器の小型化に影響を与えていた。
【０００７】
本発明は、操作部材の操作量に応じて中立位置に戻る力が変化する構成を少ないスペースで実現することを目的としている。
【課題を解決するための手段】
【０００８】
上記目的を達成するために、本発明の電子機器は、中立位置から第１の方向に第１の端位置まで操作可能であるとともに、前記中立位置から前記第１の方向とは反対の第２の方向に第２の端位置まで操作可能な操作部材と、前記操作部材が前記中立位置から前記第１の方向に前記第１の端位置まで操作されるときまたは前記操作部材が前記中立位置から前記第２の方向に前記第２の端位置まで操作されるときに、前記操作部材に対して前記中立位置方向に付勢する第１の付勢部材と、前記操作部材が前記中立位置と前記第１の端位置との間に設定される第１の中間位置から前記第１の方向に前記第１の端位置まで操作されるときまたは前記操作部材が前記中立位置と前記第２の端位置との間に設定される第２の中間位置から前記第２の方向に前記第２の端位置まで操作されるときに、前記操作部材に対して前記中立位置方向に付勢する第２の付勢部材と、前記操作部材、前記第１の付勢部材および前記第２の付勢部材を保持する保持部材とを有し、前記操作部材が前記第１の中間位置よりも前記第１の方向に操作されるときおよび前記操作部材が前記第２の中間位置よりも前記第２の方向に操作されるときに、前記第１の付勢部材の変位方向と前記第２の付勢部材の変位方向とが同一方向となるように前記第１の付勢部材および前記第２の付勢部材を前記保持部材にそれぞれ配置するとともに、前記操作部材を前記第１の方向に操作したときの前記第１の付勢部材の変位軌跡の一部が、前記操作部材を前記第２の方向に操作したときの前記第２の付勢部材の変位軌跡の一部と重なるように、前記第１の付勢部材および前記第２の付勢部材を前記保持部材にそれぞれ配置することを特徴とする。
【発明の効果】
【０００９】
操作部材の操作量に応じて中立位置に戻る力が変化する構成を少ないスペースで実現することが可能になる。
【発明を実施するための最良の形態】
【００１０】
以下に、本発明の好ましい実施の形態を、添付の図面に基づいて詳細に説明する。
【００１１】
本発明の一実施形態である電子機器の特徴を最もよく表す例として、実施の形態を図１から図９を用いて示す。
【００１２】
図１は本発明の実施形態のデジタルカメラ１を後述する図２で示す断面Ａにて切断したズームレバー機構周辺の断面図である。撮影者によって操作可能なズームレバー３はベース２の表面側からベース２に回転自在に取り付けられ、プレート４はベース２の裏面側からベース２回転自在に取り付けられる。そして、ズームレバー３とプレート４はビス止めによって一体される。すなわち、ズームレバー３とプレート４によってベース２を挟み込む構造となっている。ここで、ズームレバー３とプレート４とが一体化されたものが本発明の操作部材として機能し、ベース２が保持部材として機能する。
【００１３】
プレート４には、切り曲げ部４ａ（第１の当接部）と切り曲げ部４ｂ（第２の当接部）とが形成され、ブラシ５が取り付けられている。ベース２には、立ち壁部２ａと立ち壁部２ｂとが形成されている。第１の付勢部材である第１のねじりコイルばね６は、ばねのコイル部が巻き閉まり方向に対してあらかじめチャージされた状態でベース２に取り付けられている。
【００１４】
ズームレバー３が中立位置にあるとき、第１のねじりコイルばね６の付勢力は第１のねじりコイルばね６の腕部がそれぞれ立ち壁部２ａを押すように作用している。第２の付勢部材である第２のねじりコイルばね７は、ばねのコイル部が巻き閉まり方向に対してあらかじめチャージされた状態でベース２に取り付けられている。ズームレバー３が中立位置にあるとき、第２のねじりコイルばね７の付勢力は第２のねじりコイルばね７の腕部がそれぞれ立ち壁部２ｂを押すように作用している。
【００１５】
本実施例では付勢部材としてねじりコイルばねを用いたが、これに限定されるものではない。例えば、付勢部材としてゴムなどを用いた場合、周辺温度環境によってゴムの硬度が変化するために、ズームレバーの回動に必要な力量が変化する可能性がある。
【００１６】
図２はデジタルカメラ１を前面側から見た斜視図である。前面部には複数の移動速度にて撮影画角を調節する事が可能なズームレンズ鏡筒８、上面部にはベース２に対して回転自在に取り付けられたズームレバー３がある。
【００１７】
図３は図２におけるデジタルカメラ１のズームレバーの回動中心を通る断面Ｂで切断した断面図である。ブラシ５の先端部５ａは基板９上に設けられた接点部と接触している。ズームレバー３の回動によりブラシ５も回転運動を行い、ブラシの先端部５ａは基板９上の様々な接点部と接触ならびに非接触の状態となる。不図示の撮影画角速度変更を制御する手段が基盤６とブラシ５の接触状況を読み取ることによって、ズームレンズ鏡筒８の画角変更速度を調整している。
【００１８】
図４は図２で示す断面Ａにて切断した断面図である。図４は撮影者が画角をより望遠にするためにズームレバー３を第１の方向に回動し、第１のねじりコイルばね６からのみズームレバー３およびプレート４を中立位置方向へ戻そうとする付勢力を受けている状態を示している。ズームレバー３の回動に伴い、プレート４も回動され、第１のねじりコイルばね６の２本の腕部はベース２の立ち壁部２ａと切り曲げ部４ａによって広げられる。このとき、第１のねじりコイルばね６はズームレバー３およびプレート４が中立位置にあるときよりもチャージされるので、ズームレバー３およびプレート４を中立位置方向へ戻そうとする。一方、第２のねじりコイルばね７の２本の腕部は、ズームレバー３およびプレート４が中立位置にあるときと同様に、ベース２の立ち壁部２ｂにかかっている。したがって、第２のねじりコイルばね７の付勢力はズームレバー３およびプレート４に与えられていない。
【００１９】
図５は図２で示す断面Ａにて切断した断面図である。図５は図４の状態よりも更にズームレバー３およびプレート４を望遠側へ回動し、ズームレバー３およびプレート４が第１の端位置である望遠端位置にある状態を示している。この状態では、第１のねじりコイルばね６の２本の腕部はベース２の立ち壁部２ａと切り曲げ部４ａによって広げられ、第２のねじりコイルばね７の２本の腕部はベース２の立ち壁部２ｂと切り曲げ部４ｂによって広げられている。このとき、第１のねじりコイルばね６は図４の状態よりもさらにチャージされるとともに、第２のねじりコイルばね７もズームレバー３およびプレート４が中立位置にあるときよりもチャージされることになる。すなわち、第１のねじりコイルばね６に加え第２のねじりコイルばね７からもズームレバー３およびプレート４を中立位置方向へ戻そうとする付勢力を受けている。したがって、この状態では第１のねじりコイルばね６の付勢力と第２のねじりコイルばね７の付勢力によってズームレバー３およびプレート４を中立位置へ戻そうとする。なお、第２のねじりコイルばね７の腕部が切り曲げ部４ｂに当接して第２のねじりコイルばね７をチャージし始める位置が本発明の第１の中間位置である。すなわち、第１の中間位置は中立位置と第１の端位置である望遠端との間に設定されている。
【００２０】
図６は図２で示す断面Ａにて切断した断面図である。図６は撮影者が画角をより広角にするためにズームレバー３を第１の方向とは反対の第２の方向に回動し、第１のねじりコイルばね６からのみズームレバー３およびプレート４を中立位置へ戻そうとする付勢力を受けている状態を示している。ズームレバー３の回動に伴い、プレート４も回動され、第１のねじりコイルばね６の２本の腕部はベース２の立ち壁部２ａと切り曲げ部４ａによって広げられる。このとき、第１のねじりコイルばね６はズームレバー３およびプレート４が中立位置にあるときよりもチャージされるので、ズームレバー３およびプレート４を中立位置方向へ戻そうとする。一方、第２のねじりコイルばね７の２本の腕部は、ズームレバー３およびプレート４が中立位置にあるときと同様に、ベース２の立ち壁部２ｂにかかっている。したがって、第２のねじりコイルばね７の付勢力はズームレバー３およびプレート４に与えられていない。
【００２１】
図７は図２で示す断面Ａにて切断した断面図である。図７は図６の状態よりも更にズームレバー３およびプレート４を望遠側へ回動し、ズームレバー３およびプレート４が第２の端位置である広角端位置にある状態を示している。この状態では、第１のねじりコイルばね６の２本の腕部はベース２の立ち壁部２ａと切り曲げ部４ａによって広げられ、第２のねじりコイルばね７の２本の腕部はベース２の立ち壁部２ｂと切り曲げ部４ｂによって広げられている。このとき、第１のねじりコイルばね６は図６の状態よりもさらにチャージされるとともに、第２のねじりコイルばね７もズームレバー３およびプレート４が中立位置にあるときよりもチャージされることになる。すなわち、第１のねじりコイルばね６に加え第２のねじりコイルばね７からもズームレバー３およびプレート４を中立位置方向へ戻そうとする付勢力を受けている。したがって、この状態では第１のねじりコイルばね６の付勢力と第２のねじりコイルばね７の付勢力によってズームレバー３およびプレート４を中立位置方向へ戻そうとする。なお、第２のねじりコイルばね７の腕部が切り曲げ部４ｂに当接して第２のねじりコイルばね７をチャージし始める位置が本発明の第２の中間位置である。すなわち、第２の中間位置は中立位置と第２の端位置である広角端との間に設定されている。
【００２２】
図８はズームレバー３を望遠端または広角端に操作したときの第１のねじりコイルばね６および第２のねじりコイルばね７の変位軌跡を示している。変位軌跡１０ａはズームレバー３を望遠端まで操作したときの第１のねじりコイルばね６の腕部分の変位軌跡を示している。変位軌跡１０ｂはズームレバー３を広角端まで操作したときの第２のねじりコイルばね７の腕部分の変位軌跡を示している。重複領域１０ｃは変位軌跡１０ａと変位軌跡１０ｂとが重複する部分となるをハッチングにて示したものである。
【００２３】
図９は横軸にズームレバー３の回動量、縦軸にズームレバー３を回動させるのに必要な動作力を示したものである。
【００２４】
撮影者がズームレバー３を望遠側に回動させた際にプレート４はズームレバー３と一体となって回動し、プレート４の切り曲げ部４ａにて、第１のねじりコイルばね６の腕部の一端を付勢力が増す方向へ移動させる。切り曲げ部４ｂが第２のねじりコイルばね７が有する腕の一端に触れるまでの間、ズームレバー３およびプレート４は第１のねじりコイルばね６によってのみ中立位置へ戻そうとする力を受ける。
【００２５】
撮影者がズームレバー３をさらに望遠側に回動させると、プレート４はさらに回動して、切り曲げ部４ｂが第２のねじりコイルばね７の腕部に接する。ズームレバー３およびプレート４は第１のねじりコイルばね６からの付勢力に加えて、第２のねじりコイルばね７からの付勢力も受けることになる。これは撮影者がズームレバー３を広角側に回動させた際も同じである。
【００２６】
このとき、図９に示す通りズームレバーを回動させるために必要な力は第２のねじりコイルばね７の付勢力を受ける前後で大きく変化する。この変化点の通過直後でズーム速度を変更するように制御することで、撮影者はズーム速度の変更ポイントをズームレバー３の回動時の力量から確認できる。したがって、撮影者はズーム速度の調整をやり易くなる。
【００２７】
第１のねじりコイルばね６と、第１のねじりコイルばね６に近接して配置された第２のねじりコイルばね７がズームレバー３の回動によって描く変位軌跡は図８のように一部分が重複する。
【００２８】
ズームレバー３が第１の中間位置よりも望遠側に操作されるときおよびズームレバー３が第２の中間位置よりも広角側に操作されるときには、第１のねじりコイルばね６の腕部の変位方向と第２のねじりコイルばね７の腕部の変位方向とが同一方向となる。したがって、ズームレバー３の回動に伴い、切り曲げ部４ａを回動させ一方のねじりコイルばねの腕部が重複領域１０ｃに到達した際には、他方のねじりコイルばねの腕部は立ち壁部２ａに当接する状態となり、重複領域１０ｃには侵入しない。このため２つのねじりコイルばねの腕部が接触により、ズームレバー３の回動が阻害されることはない。このようにすることで、より少ないスペースに２つのねじりコイルばねを配置することができる。すなわち、操作部材の操作量に応じて中立位置に戻る力が変化する構成を少ないスペースで実現することが可能になり、電子機器を小型化できるという効果を奏する。
【図面の簡単な説明】
【００２９】
【図１】実施形態のデジタルカメラ１を図２で示す断面Ａにて切断した断面図
【図２】デジタルカメラ１を前面側から見た斜視図
【図３】第１のねじりコイルばね６から反力を受けている状態を図２で示す断面Ｂにて切断した断面図
【図４】ズームレバー３を望遠側に回動し、第１のねじりコイルばね６から反力を受けている状態を図２で示す断面Ａにて切断した断面図
【図５】ズームレバー３を望遠側に回動し、第１のねじりコイルばね６と第２のねじりコイルばね７から反力を受けている状態を図２で示す断面Ａにて切断した断面図
【図６】ズームレバー３を広角側に回動し、第１のねじりコイルばね６から反力を受けている状態を図２で示す断面Ａにて切断した断面図
【図７】ズームレバー３を広角側に回動し、第１のねじりコイルばね６と第２のねじりコイルばね７から反力を受けている状態を図２で示す断面Ａにて切断した断面図
【図８】ズームレバー３の回動における第１のねじりコイルばねと第２のねじりコイルばねの移動軌跡を示した図
【図９】ズームレバー３を回動量と回動に必要な動作力の関係を示すグラフ
【符号の説明】
【００３０】
１  撮像措置
２  ベース
２ａ  立ち壁部
２ｂ  立ち壁部
３  ズームレバー
４  プレート
４ａ  切り曲げ部
４ｂ  切り曲げ部
５  ブラシ
５ａ  ブラシ先端部
６  第１のねじりコイルばね
７  第２のねじりコイルばね
８  ズームレンズ鏡筒
９  基板
１０ａ  移動領域
１０ｂ  移動領域
１０ｃ  重複領域
【図１】
2010177118.tif 000003
【図２】
2010177118.tif 000004
【図３】
2010177118.tif 000005
【図４】
2010177118.tif 000006
【図５】
2010177118.tif 000007
【図６】
2010177118.tif 000008
【図７】
2010177118.tif 000009
【図８】
2010177118.tif 000010
【図９】
2010177118.tif 000011